(57)【要約】      （修正有）【課題】生産性が良好な薄型のアンテナ一体型ＧＰＳ受信モジュールを提供する。【解決手段】樹脂製のプリント基板２２の上面に装着された複数の電子部品によって形成された受信回路と、電子部品を覆うように設けられたシールド部材２３と、受信回路の入力端子へ接続されたアンテナ２４とを配する。また、アンテナ２４はプリント基板２２の上面に敷設されたプリントアンテナとし、このアンテナ２４を受信回路の横に配置する。これにより、受信回路の厚みでＧＰＳモジュール２１を実現できる。さらに、アンテナ２４が形成されたプリント基板２２へ電子部品を装着すれば、容易にアンテナ２４と受信回路とが一体化されたＧＰＳモジュール２１を得ることができる。【選択図】図１
0003171941.tif 000002
【実用新案登録請求の範囲】
【請求項１】
樹脂製のプリント基板と、このプリント基板の上面に装着された複数の電子部品によって、前記プリント基板上に形成された受信回路と、前記電子部品を覆うように設けられたシールド部材と、前記受信回路の入力端子へ接続されたＧＰＳ用アンテナとを有し、前記ＧＰＳ用アンテナは、前記プリント基板の上面に敷設されたプリントアンテナとしたアンテナ一体型ＧＰＳ受信モジュール。
【請求項２】
前記プリント基板は、比誘電率が２以上５以下の基材によって形成された請求項１に記載のアンテナ一体型ＧＰＳ受信モジュール。
【請求項３】
前記ＧＰＳ用アンテナには、非給電素子である放射導体と、給電素子である給電導体とが設けられ、前記放射導体は、少なくとも第１のアンテナ導体と第２アンテナ導体とで形成され、前記第１のアンテナ導体の一方はグランドへ接続されるとともに、前記第２のアンテナ導体の一方端は開放し、前記第１のアンテナ導体と第２のアンテナ導体は直交して配置されるとともに、前記第１のアンテナ導体の他方端と前記第２のアンテナ導体他方端とが連結され、前記放射導体と前記給電導体とは容量性結合によって結合された請求項２に記載のアンテナ一体型ＧＰＳ受信モジュール。
【請求項４】
前記放射導体と前記給電導体の間の結合容量と、前記給電導体のインダクタンスとにより、整合回路が形成された請求項３に記載のアンテナ一体型ＧＰＳ受信モジュール。
【請求項５】
給電導体には、前記放射導体と対向する対向部を有して敷設され、前記対向部の一方が前記グランドへ電気的に接続されるとともに、他方が前記入力端子へ電気的に接続された請求項４に記載のアンテナ一体型ＧＰＳ受信モジュール。
【請求項６】
前記給電導体には、前記第１のアンテナ導体と対向して配置された第１の対向部と、前記第２のアンテナ導体と対向して配置された第２の対向部とが設けられた請求項５に記載のアンテナ一体型ＧＰＳ受信モジュール。
【請求項７】
前記給電導体は、前記放射導体の内側に配置された請求項６に記載のアンテナ一体型ＧＰＳ受信モジュール。
【請求項８】
前記第１の対向部の一方端と、前記第２の対向部の一方端とが連結されてＬ字型形状とするとともに、前記第１の対向部と前記第２の対向部との連結部は、前記第１のアンテナ導体と前記第２のアンテナ導体との連結部の近傍に設けられた請求項６に記載のアンテナ一体型ＧＰＳ受信モジュール。
【請求項９】
第１のアンテナ導体の一方端とグランドとの間に挿入された第３のアンテナ導体を設け、前記第２の対向部の他方端が前記入力端子へ電気的に接続されるとともに、前記第１の対向部の他方端が前記グランドへ電気的に接続された請求項８に記載のアンテナ一体型ＧＰＳ受信モジュール。
【請求項１０】
第１のアンテナ導体の一方端とグランドとの間に第３のアンテナ導体を設けるとともに、前記第１の対向部の他方端と前記グランドあるいは前記入力端子との間に連結導体を設け、前記放射導体と前記給電導体とをともにコの字形状とし、前記連結導体と前記第３のアンテナ導体との間は疎結合とした請求項８に記載のアンテナ一体型ＧＰＳ受信モジュール。
【請求項１１】
前記第１のアンテナ導体と前記第１の対向部との間には第１の結合容量を有するとともに、前記第２のアンテナ導体と前記第２の対向部との間には第２の結合容量を有し、前記第１と第２の結合容量の値はほぼ等しくした請求項５に記載のアンテナ一体型ＧＰＳ受信モジュール。
【請求項１２】
前記第１の対向部と前記第２の対向部の長さはほぼ同じとした請求項５に記載のアンテナ一体型ＧＰＳ受信モジュール。
【請求項１３】
前記プリント基板の下面において、前記受信回路に対応する位置に地板が形成され、前記地板と前記グランドとが接続された請求項３に記載のアンテナ一体型ＧＰＳ受信モジュール。
【請求項１４】
前記地板が形成された領域は、前記受信回路が形成された領域よりも大きくした請求項１３に記載のアンテナ一体型ＧＰＳ受信モジュール。
【請求項１５】
前記給電導体の一方とグランドとの間と、前記給電導体の他方と入力端子との間の少なくともいずれか一方には、チップインダクタが挿入された請求項５に記載のアンテナ一体型ＧＰＳ受信モジュール。
【考案の詳細な説明】
【技術分野】
【０００１】
本考案は、ＧＰＳ受信用アンテナと受信器とが一体化されたアンテナ一体型ＧＰＳ受信モジュールに関するものである。
【背景技術】
【０００２】
以下、従来のアンテナ一体型ＧＰＳ受信モジュールについて図面を用いて説明する。
【０００３】
図８は、従来のアンテナ一体型ＧＰＳ受信モジュール（以降、略してＧＰＳモジュール１という）の断面図である。図８において、従来のＧＰＳモジュール１において、樹脂製のプリント基板２の上面には、複数の電子部品３が搭載され、ＧＰＳの受信回路が形成されている。これらの電子部品３を覆うように金属製のカバー４が装着されている。
【０００４】
このカバー４の上面には、ＧＰＳを受信するためにパッチアンテナ５が搭載されている。ここで、パッチアンテナ５は、小型化のために、アルミナ基板などのように誘電率が大きな（一般的には誘電率が８以上の）基材で形成されている。なお、パッチアンテナ５の下面には地板が形成され、この地板がカバー４上に接着剤（あるいは粘着剤）などで固定される。
【０００５】
ここで、パッチアンテナ５の給電点の位置には、給電ピン５ａが接続されている。この給電ピン５ａは、カバー４を貫通し、プリント基板２まで到達する。なお、給電ピン５ａ（パッチアンテナ５）とプリント基板２（受信回路）との接続は、たとえば給電ピン５ａをプリント基板２に設けた孔へ挿通し、はんだなどで接続する。
【０００６】
なお、この出願の考案に関連する先行技術文献情報としては、例えば、特許文献１が知られている。
【先行技術文献】
【特許文献】
【０００７】
【特許文献１】特開平０９−４６１２５号公報
【考案の概要】
【考案が解決しようとする課題】
【０００８】
このようなＧＰＳモジュール１は、スマートフォンやタブレット型携帯端末などの機器に用いられるようになってきた。ところが、このような携帯機器では、画面が大きいため、小型化よりもむしろ薄型化が要求される。
【０００９】
しかしながら従来のＧＰＳモジュール１では、パッチアンテナ５を用いているとともに、パッチアンテナ５がカバー４上に搭載される構成であり、厚みが厚くなるという課題を有していた。
【００１０】
それに加え、パッチアンテナ５をカバー４に装着する作業や、給電ピン５ａをプリント基板２へはんだ付けする作業などが必要であり、生産性が悪いという課題も有していた。
【００１１】
そこで本考案は、この問題を解決したもので、厚みの薄いアンテナ一体型ＧＰＳ受信モジュールを生産性良く生産することを目的としたものである。
【課題を解決するための手段】
【００１２】
この目的を達成するために、ＧＰＳ用アンテナは前記プリント基板の上面に敷設されたプリントアンテナとし、このＧＰＳ用アンテナと受信回路とを樹脂製のプリント基板の上に形成したものである。これにより、プリント基板上にＧＰＳアンテナと受信回路とを一体に形成したものである。したがって所期の目的を達成することができる。
【考案の効果】
【００１３】
以上のように本考案によれば、ＧＰＳ用アンテナはプリントアンテナであるので、受信回路の厚みでアンテナ一体型ＧＰＳ受信モジュールを実現できる。さらに、ＧＰＳ用アンテナはあらかじめプリント基板の上に敷設されたプリントアンテナであるので、このＧＰＳ用アンテナを形成したプリント基板へ電子部品を装着すれば、容易にアンテナ一体型ＧＰＳ受信モジュールを得ることができる。したがって、非常に生産性の良好なアンテナ一体型ＧＰＳ受信モジュールを実現できる。
【図面の簡単な説明】
【００１４】
【図１】本実施の形態におけるアンテナ一体型ＧＰＳ受信モジュールの上面図
【図２】同、断面図
【図３】同、下面図
【図４】同、等価回路図
【図５】（ａ）同、アンテナの特性図、（ｂ）同、アンテナの特性図
【図６】グランド長を変化させた場合のアンテナの特性図
【図７】（ａ）同、アンテナのスミスチャート、（ｂ）同、アンテナのスミスチャート
【図８】従来のアンテナ一体型ＧＰＳ受信モジュールの断面図
【考案を実施するための形態】
【００１５】
以下、本実施の形態におけるアンテナ一体型ＧＰＳ受信モジュール（以降、略してＧＰＳモジュール２１という）について、図面を用いて説明する。
【００１６】
（実施の形態１）
図１は、本実施の形態におけるアンテナ一体型ＧＰＳ受信モジュールの上面図であり、図２は、同断面図であり、図３は、同下面図である。図４は、本実施の形態におけるアンテナ一体型ＧＰＳ受信モジュールの等価回路図である。図１から図４において、ＧＰＳモジュール２１は、樹脂製のプリント基板２２の上面に装着された複数の電子部品３によって形成された受信回路３１と、前記電子部品３を覆うように設けられたシールド部材２３と、受信回路３１の入力端子３１ａへ接続されたＧＰＳ用アンテナ（以降、単にアンテナ２４という）とを有し、アンテナ２４は、プリント基板２２の上面に敷設されたプリントアンテナとしたものである。つまり、アンテナ２４は、プリント基板２２上において受信回路３１の横に配置されることとなる。
【００１７】
この構成により、アンテナ２４はプリントアンテナであるので、受信回路３１の厚み（プリント基板２２とシールド部材２３が合わさった厚みだけ）でＧＰＳモジュール２１を実現できる。さらに、アンテナ２４はあらかじめプリント基板２２上に敷設されたプリントアンテナであるので、このアンテナ２４が形成されたプリント基板２２へ電子部品３を装着すれば、容易にアンテナ２４と受信回路とが一体化されたＧＰＳモジュール２１を得ることができる。したがって、非常に生産性の良好なＧＰＳモジュール２１を実現できる。
【００１８】
では次に、本実施の形態におけるＧＰＳモジュール２１について、さらに詳しく説明する。プリント基板２２は矩形状をなし、樹脂製の基材によって形成されている。具体的には４層のガラスエポキシ基板である。このプリント基板２２の上面にはアンテナ２４と電子部品３を装着するための装着パッドや受信回路３１のグランドパターンなどが形成されている。一方、プリント基板２２の下面側にはアンテナ２４の地板２５が形成されている。
【００１９】
ここで、本実施の形態におけるプリント基板２２には、４層基板を用いたが、これに限られるものではなく、両面銅張り以上の基板であれば良い。また、本実施の形態におけるプリント基板２２の比誘電率は４．２であるが、これは比誘電率が２以上５以下の範囲であれば良い。
【００２０】
プリント基板２２の上面には複数の装着パッド（図示せず）が形成され、これら装着パッド上には、はんだなどによって複数の電子部品３が装着されている。そしてこれらの電子部品３により、プリント基板２２上にはＧＰＳ用の受信回路３１が形成される。
【００２１】
シールド部材２３は、電子部品３（受信回路３１）を覆うように設けられる。ただし、アンテナ２４はシールド部材２３で覆われないようにしておく。ここで本実施の形態におけるシールド部材２３には、金属製のカバーを用いており、カバーははんだなどによって、プリント基板２２上へ固定される。なお、本実施の形態においては、カバーを用いたが、シールド部材２３はこれに限るものではない。たとえば、プリント基板２２の上面に、電子部品３を覆うように樹脂層を設け、この樹脂層の表面を覆うようにシールド部材２３を形成してもよい。ただしこの場合、シールド部材２３にはたとえばスパッタなどによる金属膜を用いる。
【００２２】
アンテナ２４はプリント基板２２の上面に敷設された導体で形成されたプリントアンテナであり、アンテナ２４は受信回路３１の入力端子３１ａへ接続されている。なお本実施の形態におけるアンテナ２４には、ＧＰＳ信号を受信する放射導体２６と、この放射導体２６と容量性結合によって結合された給電導体２７とを含んでいる。そして、放射導体２６と給電導体２７の間の結合容量３２ａと、給電導体２７によるインダクタンス３３ａやインダクタンス３３ｂとにより、整合回路３２が形成されている。このように結合容量３２ａやインダクタンス３３ａやインダクタンス３３ｂがプリント基板２２上に形成された導体によって形成されているので、低価格なＧＰＳモジュール２１を実現できる。
【００２３】
ここで給電導体２７には、放射導体２６と対向する対向部が設けられている。つまり、この対向部では、給電導体２７と放射導体２６とが平行に配列されている。したがって、給電導体２７は、この対向部において放射導体２６と結合することとなる。なお、対向部の一方は電気的にグランドへ接続されており、対向部の他方は入力端子３１ａへ電気的に接続されている。
【００２４】
これにより、放射導体２６へ入力されたＧＰＳ信号は、整合回路３２を介して受信回路３１の入力端子３１ａへ供給される。したがって、アンテナ２４と受信回路３１との整合を容易に合わせることができるので、受信回路３１の受信感度は良好となる。
【００２５】
次に、本実施の形態における放射導体２６について、詳しく説明する。放射導体２６は、第１のアンテナ導体２６ａと第２アンテナ導体２６ｂと第３のアンテナ導体２６ｃで形成されている。第１のアンテナ導体２６ａの一方端は第３のアンテナ導体２６ｃを介してグランドへ接続されている。一方、第１のアンテナ導体２６ａの一方端は開放されており、この第２アンテナ導体２６ｂの他方端は第１のアンテナ導体２６ａの他方端と連結されている。
【００２６】
このとき第３のアンテナ導体２６ｃがグランドへ接続されているので、アンテナ２４での受信性能における寄与度は、第１のアンテナ導体２６ａと第２アンテナ導体２６ｂとの寄与度が大きくなる。そしてこれら第１のアンテナ導体２６ａと第２アンテナ導体２６ｂとは直交して配置されているので、円偏波であるＧＰＳ信号を良好に受信することができることとなる。
【００２７】
なお、第２アンテナ導体２６ｂと第３のアンテナ導体２６ｃはともに、第１のアンテナ導体２６ａと直交して配置される。つまり、本実施の形態における放射導体２６は、コの字型の形状をなしているので、プリント基板２２上において放射導体２６のインダクタンス値を大きくできるので、比誘電率の小さな樹脂基板においてもアンテナゲインの良好なアンテナ２４を得ることができる。したがって、受信回路３１の受信感度の良いＧＰＳモジュール２１を実現できる。
【００２８】
ここで、第１のアンテナ導体２６ａはプリント基板２２の短辺に沿って、該短辺の近傍に形成される。一方、第２アンテナ導体２６ｂは、プリント基板２２の一方の長辺に沿って、該長辺の近傍に形成される。さらに、第３のアンテナ導体２６ｃは、プリント基板２２の他方の長辺に沿って、該長辺の近傍に形成される。以上のようにすることにより、アンテナ２４を矩形のプリント基板２２上に効率よく配置することができるので、プリント基板２２を小型化できる。
【００２９】
また、給電導体２７は、放射導体２６の内側に配置されているので、さらにアンテナ２４を矩形のプリント基板２２上に効率よく配置することができ、プリント基板２２を小型化できる。なお、本実施の形態では、給電導体２７を放射導体２６の内側に配置したが、給電導体２７を放射導体２６の外側に配置してもよい。この場合放射導体２６と入力端子３１ａとの間でのＧＰＳ信号の損失を少なくできる。これは、ＧＰＳ信号は高周波信号であるので、放射導体２６の内周側に比べ、外周側の方が電位が高くなるためである。
【００３０】
次に給電導体２７について詳しく説明する。この給電導体２７には、第１のアンテナ導体２６ａと平行に対向する第１の対向部２７ａと、第２アンテナ導体２６ｂと平行に対向した第２の対向部２７ｂとが設けられている。つまり、放射導体２６と給電導体２７との間の結合容量３２ａは、実質的に第１のアンテナ導体２６ａと第１の対向部２７ａとの間の結合容量と、第２アンテナ導体２６ｂと第２の対向部２７ｂとの間の結合容量とによって形成されることとなる。
【００３１】
ここで、水平成分が誘起される第１のアンテナ導体２６ａと第１の対向部２７ａとの間の容量値（第１の結合容量）と、垂直成分が誘起される第２アンテナ導体２６ｂと第２の対向部２７ｂとの間の容量値（第２の結合容量）との値はほぼ等しくなるようにする。これにより、第１のアンテナ導体２６ａと第２アンテナ導体２６ｂとで受信した円偏波の信号をほぼ同じマッチング回路で、正確に受信することができるため、軸比を１に近づけることができる。
【００３２】
本実施の形態では、第１のアンテナ導体２６ａと第１の対向部２７ａとの間の間隔と第１のアンテナ導体２６ａと第１の対向部２７ａとの間の間隔とは、同じにしている。さらに、第１の対向部と前記第２の対向部の長さはほぼ同じとすることで、第１のアンテナ導体２６ａと第１の対向部２７ａとの間の容量値（第１の結合容量）と、第２アンテナ導体２６ｂと第２の対向部２７ｂとの間の容量値（第２の結合容量）との値をほぼ等しくしている。
【００３３】
なお、給電導体２７は、第１の対向部２７ａの一方端と第２の対向部２７ｂの一方端とが連結されてＬ字型形状としている。このとき、第１の対向部２７ａと第２の対向部２７ｂとの連結部は、第１のアンテナ導体２６ａと第２アンテナ導体２６ｂとの連結部の近傍に設けておくと良い。つまりＧＰＳ信号は高周波信号であるので、第１のアンテナ導体２６ａの端部や第２アンテナ導体２６ｂの端部での電位は高くなる。したがってこのようにすれば、第１の対向部２７ａや第２の対向部２７ｂが放射導体２６の電位の高い箇所に近接して設けられることになるので、放射導体２６で受信したＧＰＳ信号を小さな損失で入力端子３１ａへ供給できる。したがって、受信回路３１での受信感度が良好となる。
【００３４】
次に本実施の形態における放射導体２６と給電導体２７との幅について、詳細に説明する。図５（ａ）、図５（ｂ）は、ともにアンテナの特性図である。図５（ａ）において、横軸４１は放射導体２６の幅であり、縦軸４２はアンテナ２４のゲインである。つまり、特性曲線４３は、放射導体２６の幅を変化させた場合のアンテナ２４のゲインの変化を示している。なお、このときの給電導体２７の幅は０．６ｍｍとしている。このように、放射導体２６の幅は、１．０ｍｍ以上であれば良好なゲインを得ることができる。したがって、小型化のためには、放射導体２６の幅は狭い方が望ましいので、本実施の形態における放射導体２６の幅は１．０ｍｍとしている。
【００３５】
図５（ｂ）において、横軸４５は、給電導体２７の幅であり、縦軸４６はアンテナ２４のゲインである。つまり特性曲線４７は、給電導体２７の幅を変化させた場合のアンテナ２４のゲインの変化を示している。なお、このときの放射導体２６の幅は、１．０ｍｍとしている。このように給電導体２７の幅が狭い方がアンテナ２４のゲインは、大きくなる傾向にある。ここで、給電導体２７は整合回路３２の一部である。したがって、給電導体２７の幅を狭くすると整合回路３２のインピーダンスも変化し（大きくなり）、受信回路３１との整合がとりにくくなる。そこで、本実施の形態における給電導体２７の幅は、１．０ｍｍとすることで、受信回路３１との整合を良好に合わせられる。
【００３６】
実施の形態における給電導体２７は、第１の対向部２７ａの他方端とグランドとの間に第１の連結導体部２８ａを形成し、第２の対向部２７ａの他方端と入力端子３１ａとの間に第２の連結導体２８ｂ部を形成している。このとき、第１の連結導体部２８ａと第３のアンテナ導体２６ｃとの間は電磁結合や誘電性結合が疎結合となるようにしておく。つまり、第１の連結導体部２８ａと第３のアンテナ導体２６ｃとの間の距離を大きくすることによって、第３のアンテナ導体２６ｃに入力された信号が、第１の連結導体部２８ａを介して入力端子３１ａへ入力されにくくできる。これにより、第３のアンテナ導体２６ｃは、もっぱら放射導体２６のアンテナ長を長くする作用として働くこととなるので、アンテナゲインの高いアンテナ２４を得ることができる。そしてこのように第１の連結導体部２８ａと第３のアンテナ導体２６ｃとの間を疎結合としておけば、第１の連結導体部２８ａを入力端子３１ａへ接続し、第２の連結導体部２８ｂをグランドに接続することもできる。
【００３７】
なおこれは、第３のアンテナ導体２６ｃには、第２アンテナ導体２６ｂと逆方向の電流が流れ、この第３のアンテナ導体２６ｃの信号が第２アンテナ導体２６ｂで受信した信号と合成されると、受信したＧＰＳ信号が打ち消されるためであると推測される。
【００３８】
さらに本実施の形態では、グランドに接続された第１の連結導体部２８ａが、第２の連結導体部２８ｂよりも第３のアンテナ導体２６ｃ側に近い位置に配置されることとなる。ここで、第３のアンテナ導体２６ｃもまたグランドに接続されるので、互いに干渉しにくくできる。したがって、第３のアンテナ導体２６ｃに入力された信号が、第１の連結導体部２８ａを介して入力端子３１ａへ入力されにくくできる。これにより、第３のアンテナ導体２６ｃは、もっぱら放射導体２６のアンテナ長を長くする作用として働くこととなる。
【００３９】
さらにまた、プリント基板２２の下面における受信回路３１に対応する位置には、地板２５が形成されている。この地板２５はプリント基板２２に設けられたスルーホール（図示せず）を介してプリント基板２２の上面のグランドパターンへと接続されている。このように地板２５とグランドパターンとを接続することにより、地板２５もアンテナ２４として働き、地板２５で受信した信号も入力端子３１ａへ供給される。
【００４０】
図６は、地板の長さを変化させた場合のアンテナの特性図である。ここで、地板長とは、図３における横方向の長さを言う。図６において横軸５１はＧＰＳモジュール２１のグランドの長さであり、縦軸はアンテナ２４のゲインである。従って特性曲線５３、５４は、グランド長さに対するアンテナ２４のゲインの変化を示す。ここで、特性曲線５３は、放射導体２６の幅が１．０ｍｍであり、給電導体２７の幅が０．６ｍｍの場合である。一方、特性曲線５４は、放射導体２６の幅が１．０ｍｍであり、給電導体２７の幅が１．０ｍｍの場合である。図６に示すように、アンテナ２４のゲインは、グランドの長さによって変化することがわかる。
【００４１】
以上のように、地板２５で受信されたＧＰＳ信号が、グランドパターンを介して放射導体２６へと供給され、さらに受信感度の良好なアンテナ２４を得ることができる。
【００４２】
図６においてアンテナ２４のゲインが最大となるときのグランド長さは、約６０ｍｍである。しかし、本実施の形態において受信回路３１のために必要なＧＰＳモジュール２１の長さは６０ｍｍにまで大きくできない。そこで、このＧＰＳモジュール２１が搭載される機器のグランドパターンを合わせて、６０ｍｍ相当の長さとなるようにする。このように、機器のグランドもアンテナとして作用させることで、さらにアンテナ２４のゲインを大きくできる。
【００４３】
それに加えて、地板２５が形成された領域は、受信回路３１が形成された領域よりも大きくしている。これにより、地板２５で受信したＧＰＳ信号の受信回路３１への漏洩による妨害を少なくできる。これは、高周波信号であるＧＰＳ信号は地板２５の周縁部を流れるためである。つまり、ＧＰＳ信号は受信回路３１が形成されていない部分を流れるので、地板２５で受信したＧＰＳ信号の受信回路３１への漏洩による妨害を少なくできることとなる。
【００４４】
図７（ａ）は、給電導体とグランドの間にインダクタを挿入した場合のアンテナのスミスチャートであり、図７（ｂ）は、給電導体と入力端子の間にインダクタを挿入した場合のスミスチャート特性図である。
【００４５】
図７（ａ）において、特性曲線６１は、給電導体２７と入力端子３１ａの間にチップインダクタ３４ａが挿入されない場合の特性を示す。一方特性曲線６２は、給電導体２７と入力端子３１ａの間にチップインダクタ３４ａが挿入された場合の特性を示す。このように、給電導体２７の一方とグランドとの間に、チップインダクタ３４ａを挿入すれば、入力端子３１ａからアンテナ２４側をみたときのインピーダンス値を大きくできる。
【００４６】
図７（ｂ）において、特性曲線６５は、給電導体２７とグランドの間にチップインダクタ３４ｂが挿入されない場合の特性である。一方、特性曲線６６は、給電導体２７とグランドの間にチップインダクタ３４ｂが挿入された場合の特性を示す。このように、給電導体２７の他方と入力端子３１ａとの間にチップインダクタ３４ｂを挿入すれば、入力端子３１ａからアンテナ２４側をみたときのインピーダンス値を小さくできる。
【００４７】
以上のように、チップインダクタを挿入する箇所を変更するだけで、容易にインピーダンスを変化させることができるので、容易にアンテナ２４と受信回路３１との間の整合をとることができる。なお、これらチップインダクタ３４ａ、チップインダクタ３４ｂともに装着してもよい。この場合、チップインダクタ３４ａとチップインダクタ３４ｂのインダクタンス値の比によってインピーダンスの値を調整できる。
【産業上の利用可能性】
【００４８】
本考案にかかるアンテナ一体型ＧＰＳ受信モジュールは、薄型化できるという効果を有し、携帯機器等に用いると有用である。
【符号の説明】
【００４９】
３  電子部品
２１  ＧＰＳモジュール
２２  プリント基板
２３  シールド部材
２４  アンテナ
３１  受信回路
【図１】
0003171941.tif 000003
【図２】
0003171941.tif 000004
【図３】
0003171941.tif 000005
【図４】
0003171941.tif 000006
【図５】
0003171941.tif 000007
【図６】
0003171941.tif 000008
【図７】
0003171941.tif 000009
【図８】
0003171941.tif 000010